(57)【要約】      （修正有）【課題】紫外線硬化型のインクを利用して、視覚的な装飾効果を向上した印刷体を提供する。【解決手段】印刷体は、金属光沢を有する印刷基材５に形成され、透光性を有する紫外線硬化型インクを立体形状に印刷した透光層２１ａ，２２ａ，２３ａが複数積層された透光積層体１０を備える。【選択図】図２
2016107470.tif 000002
【特許請求の範囲】
【請求項１】
金属光沢を有する印刷基材に形成され、透光性を有する紫外線硬化型インクを立体形状に印刷した透光層が複数積層された透光積層体を備える印刷体。
【請求項２】
請求項１に記載の印刷体において、
前記印刷基材は、光回折層を備えること、
を特徴とする印刷体。
【請求項３】
請求項１又は請求項２に記載の印刷体において、
前記透光積層体の外形に連続して設けられ、隠蔽性を有する紫外線硬化型インクが印刷されることにより積層された隠蔽層を備えること、
を特徴とする印刷体。
【請求項４】
請求項１から請求項３のいずれかに記載の印刷体において、
複数の前記透光積層体がドット状に配置され、
複数の前記透光積層体の少なくとも１つは、前記印刷基材と、前記透光層との間に積層され、着色された紫外線硬化型インクが印刷されることにより積層された着色層を備えること、
を特徴とする印刷体。
【請求項５】
請求項１から請求項４のいずれかに記載の印刷体において、
複数の前記透光層は、段々状に積層されていること、
を特徴とする印刷体。
【請求項６】
請求項５に記載の印刷体において、
段々状の一段は、同一の外形の前記透光層が複数積層されて形成されていること、
を特徴とする印刷体。
【請求項７】
請求項１から請求項６のいずれかに記載の印刷体において、
前記透光層の外形は、多角形であること、
を特徴とする印刷体。
【請求項８】
請求項１から請求項７のいずれかに記載の印刷体において、
透光性を有する紫外線硬化型インクを印刷することにより形成され、前記透光積層体を覆うことにより、段々状の段のエッジを緩やかにする被覆層を備えること、
を特徴とする印刷体。
【請求項９】
請求項１から請求項８のいずれかに記載の印刷体において、
紫外線硬化型インクは、インクジェットプリンタによって、前記印刷基材に印刷されること、
を特徴とする印刷体。
【請求項１０】
透光性を有する紫外線硬化型インクを印刷基材に立体形状に印刷した透光段層が段々状に複数積層された透光積層体を備える印刷体。
【請求項１１】
請求項１０に記載の印刷体において、
前記透光段層の一段は、同一の外形の透光層が複数積層されて形成されていること、
を特徴とする印刷体。
【請求項１２】
請求項１０又は請求項１１に記載の印刷体において、
前記透光段層の外形は、多角形であること、
を特徴とする印刷体。
【請求項１３】
請求項１０から請求項１２のいずれかに記載の印刷体において、
透光性を有する紫外線硬化型インクを印刷することにより形成され、前記透光段層を覆うことにより、前記透光段層のエッジを緩やかにする被覆層を備えること、
を特徴とする印刷体。
【請求項１４】
請求項１０から請求項１３のいずれかに記載の印刷体において、
紫外線硬化型インクは、インクジェットプリンタによって、前記印刷基材に印刷されること、
を特徴とする印刷体。
【発明の詳細な説明】
【技術分野】
【０００１】
本発明は、紫外線硬化型のインクを用いた印刷体に関するものである。
【背景技術】
【０００２】
従来、紫外線硬化型のインクを厚盛印刷できる印刷方法があった（例えば特許文献１）。
しかし、従来の印刷方法は、厚盛したインクを、視覚的に利用した製品を製造するものではなかった。
【先行技術文献】
【特許文献】
【０００３】
【特許文献１】特開２０１３−３５２６２号公報
【発明の概要】
【発明が解決しようとする課題】
【０００４】
本発明の課題は、紫外線硬化型のインクを利用して、視覚的な装飾効果を向上した印刷体を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、金属光沢を有する印刷基材（５）に形成され、透光性を有する紫外線硬化型インクを立体形状に印刷した透光層（２１ａ，２２ａ，２３ａ，３１ａ，３２ａ，３３ａ）が複数積層された透光積層体（２０，３０）を備える印刷体である。
・第２の発明は、第１の発明の印刷体において、前記印刷基材（５）は、光回折層（７）を備えること、を特徴とする印刷体である。
・第３の発明は、第１又は第２の発明の印刷体において、前記透光積層体（２０，３０）の外形に連続して設けられ、隠蔽性を有する紫外線硬化型インクが印刷されることにより積層された隠蔽層（５０）を備えること、を特徴とする印刷体である。
・第４の発明は、第１から第３のいずれかの発明の印刷体において、複数の前記透光積層体（２０，３０）がドット状に配置され、複数の前記透光積層体の少なくとも１つは、前記印刷基材（５）と、前記透光層（２１ａ，３１ａ）との間に積層され、着色された紫外線硬化型インクが印刷されることにより積層された着色層（３６）を備えること、を特徴とする印刷体である。
・第５の発明は、第１から第４のいずれかの発明の印刷体において、複数の前記透光層（２１ａ，２２ａ，２３ａ，３１ａ，３２ａ，３３ａ）は、段々状に積層されていること、を特徴とする印刷体である。
・第６の発明は、第５の発明の印刷体において、段々状の一段（２１，２２，２３，３１，３２，３３）は、同一の外形の前記透光層（２１ａ，２２ａ，２３ａ，３１ａ，３２ａ，３３ａ）が複数積層されて形成されていること、を特徴とする印刷体である。
・第７の発明は、第１から第６のいずれかの発明の印刷体において、前記透光層（２１ａ，２２ａ，２３ａ，３１ａ，３２ａ，３３ａ）の外形は、多角形であること、を特徴とする印刷体である。
・第８の発明は、第１から第７のいずれかの発明の印刷体において、透光性を有する紫外線硬化型インクを印刷することにより形成され、前記透光積層体（２０，３０）を覆うことにより、段々状の段のエッジ（２１ｂ，２２ｂ，２３ｂ，３１ｂ，３２ｂ，３３ｂ）を緩やかにする被覆層（２５，３５）を備えること、を特徴とする印刷体である。
・第９の発明は、第１から第８のいずれかの発明の印刷体において、紫外線硬化型インクは、インクジェットプリンタによって、前記印刷基材（５）に印刷されること、を特徴とする印刷体である。
・第１０の発明は、透光性を有する紫外線硬化型インクを印刷基材（５）に立体形状に印刷した透光段層（２１，２２，２３，３１，３２，３３）が段々状に複数積層された透光積層体（２０，３０）を備える印刷体である。
・第１１の発明は、第１０の発明の印刷体において、前記透光段層（２１，２２，２３，３１，３２，３３）の一段は、同一の外形の透光層（２１ａ，２２ａ，２３ａ，３１ａ，３２ａ，３３ａ）が複数積層されて形成されていること、を特徴とする印刷体である。
・第１２の発明は、第１０又は第１１の発明の印刷体において、前記透光段層（２１，２２，２３，３１，３２，３３）の外形は、多角形であること、を特徴とする印刷体である。
・第１３の発明は、第１０から第１２のいずれかの発明の印刷体において、透光性を有する紫外線硬化型インクを印刷することにより形成され、前記透光段層（２１，２２，２３，３１，３２，３３）を覆うことにより、前記透光段層のエッジ（２１ｂ，２２ｂ，２３ｂ，３１ｂ，３２ｂ，３３ｂ）を緩やかにする被覆層（２５，３５）を備えること、を特徴とする印刷体である。
・第１４の発明は、第１０から第１３のいずれかの発明の印刷体において、紫外線硬化型インクは、インクジェットプリンタによって、前記印刷基材（５）に印刷されること、を特徴とする印刷体である。
【発明の効果】
【０００７】
本発明によれば、紫外線硬化型のインクを利用して、視覚的な装飾効果を向上した印刷体を提供できる。
【図面の簡単な説明】
【０００８】
【図１】実施形態の印刷体１を、上面から見た図である。
【図２】実施形態の無色積層体２０の断面図である。
【図３】実施形態の有色積層体３０の断面図である。
【発明を実施するための形態】
【０００９】
（実施形態）
以下、図面等を参照して、本発明の実施形態について説明する。
図１は、実施形態の印刷体１を、上面から見た図である。
図１（Ａ）は、印刷体１の全体を示す図である。
図１（Ｂ）は、無色積層体２０の拡大図である。
図１（Ｃ）は、有色積層体３０の拡大図である。
図２は、実施形態の無色積層体２０の断面図（図１（Ｂ）の２−２部断面図）である。
図３は、実施形態の有色積層体３０の断面図（図１（Ｃ）の３−３部断面図）である。
実施形態、図面では、説明と理解を容易にするために、ＸＹＺ直交座標系を設けた。この座標系は、図１（Ａ）に示すように、印刷体１の上面である印刷面を見た状態を基準にして、厚さ方向Ｚ、左右方向Ｘ、縦方向Ｙを表す。また、実施形態では、「外形」とは、印刷体１の上面側（上側Ｚ２）から見た形状をいう。
【００１０】
印刷体１は、複数の透光積層体１０を、印刷基材５に、インクジェット方式による印刷によって形成したものである。複数の透光積層体１０は、立体的に形成されている。後述するように、印刷体１は、アイロンビーズ、ビータッチ手芸のような、基材上にビーズ,
ラインストーン等を配置したような質感（外観、手触り感等）を有する。
【００１１】
［構成］
図１から図３に示すように、印刷体１は、印刷基材５、複数の透光積層体１０、隠蔽層５０を備える。
印刷基材５は、紙材６上にホログラム層７（光回折層）が積層されたシート材である。このような印刷基材５は、市場で流通しているシート材を利用できる。
ホログラム層７は、反射層が設けられている。このため、印刷基材５は、光を反射し、また、銀色の金属光沢を有する。
なお、印刷基材５が金属光沢を有する形態は、印刷基材５の最上層が金属光沢を有する態様に限定されない。この形態は、印刷基材５の上面から金属光沢を視認できる態様であればよい。この形態は、例えば、金属光沢を有する層上に透明な保護層が設けられており、この保護層を介して金属光沢が視認できる態様も含まれる。
ホログラム層７は、例えば、観察する角度を変えると反射光の輝度が極端に変化する、光を不規則に反射する、等という性質を有する。
【００１２】
複数の透光積層体１０は、各透光積層体１０を１つのドットとして、複数の透光積層体１０が「ＡＢ」という文字の形状に、ドット状に並べられている。
なお、複数の透光積層体１０の配置は、これに限定されない。複数の透光積層体１０の配置は、例えば、図形、模様、記号、又はこれらを結合させたものでもよい。また、複数の透光積層体１０の配置は、不規則であってもよい。
【００１３】
透光積層体１０の高さ（厚さ）は、例えば０．５ｍｍ程度である。
複数の透光積層体１０は、無色積層体２０、有色積層体３０の２種類を有する。
有色積層体３０は、「Ａ」の左右の横線、「Ｂ」の中央の横線の部分である。無色積層体２０は、「ＡＢ」のその他の部分である。
【００１４】
図１（Ｂ）、図２に示すように、無色積層体２０は、３つの透光段層２１，２２，２３、被覆層２５を備える。なお、図１（Ｂ）、図１（Ｃ）は、被覆層２５の図示を省略した。
３つの透光段層２１，２２，２３、被覆層２５は、無色透明な層である。
３つの透光段層２１，２２，２３は、段々状に積層されている。つまり、３つの透光段層２１，２２，２３は、上段に積層されたもの程、外形が小さい。無色積層体２０の外形は、正八角形（多角形）である。
透光段層２１は、同一の外形の３つの透光層２１ａが積層されている。透光段層２１，は、同一の外形及び同一の高さの八角柱（透光層２１ａ）が３層重ねられることにより、１つの八角柱になっている。
同様に、透光段層２２，２３は、それぞれ、３つの透光層２２ａ，２３ａが積層されている。
このように、無色積層体２０は、合計９層の透光層が積層されている。
【００１５】
被覆層２５は、無色積層体２０を覆うように積層されている。このため、被覆層２５は、透光段層２１，２２，２３の段のエッジ２１ｂ，２２ｂ，２３ｂ（つまり各段の最上層に積層された透光層のエッジ）を緩やかにする。これにより、印刷体１は、他の部材との引っ掛かり等を抑制し、また、他の部材を不意に損傷したりすること等を抑制できる。さらに、被覆層２５は、無色積層体２０の表面を平滑にする。
【００１６】
図１（Ｃ）、図３に示すように、有色積層体３０は、無色積層体２０と同様な積層体の下側Ｚ１に、着色層３６を設けたものである。以下の説明及び図面では、有色積層体３０のうち無色積層体２０と同様な構成には、末尾に同様な符号を付して、重複する説明を適宜省略する。
着色層３６は、印刷基材５と、最下段の透光段層３１（つまり最下層の透光層３１ａ）との間に積層されている。このため、有色積層体３０のうち着色層３６よりも上側Ｚ２の層は、無色積層体２０と同様に無色透明である。
着色層３６の外形は、最下段の透光段層２１の外形と等しい。
着色層３６は、無色透明ではないが、透光性を有する。着色層３６の色彩は、インジェットプリンタによる印刷で表現可能であればよい。
【００１７】
図１から図３に示すように、隠蔽層５０は、透光積層体１０よりも外側の印刷基材５を、露出しないように隠蔽する層である。
隠蔽層５０は、透光積層体１０の外形に連続して設けられている。つまり、隠蔽層５０は、無色積層体２０の最下段の透光段層２１（最下層の透光層２１ａ）に、連続して設けられている（図２参照）。また、隠蔽層５０は、有色積層体３０の最下段の透光段層３１（最下層の透光層３１ａ）及び着色層３６に、連続して設けられている（図３参照）。
【００１８】
隠蔽層５０は、印刷基材５上に、下側Ｚ１から白色層５１、黒色層５２が積層されることにより形成される。
白色層５１は、白色の層である。白色層５１は、印刷基材５を、より確実に隠蔽するために設けられる。このため、白色層５１は、一般的に光隠蔽性能が高い白色インクを用いる。
黒色層５２は、黒色の層である。黒色層５２は、後述するように、透光積層体１０を通して観察される印刷基材５の金属光沢が、より目立つように設けられる。
【００１９】
なお、隠蔽層５０の構成は、上記構成に限定されない。
例えば、黒色層５２の隠蔽性能が高い場合には、白色層５１は、設けなくてもよい。
また、デザインが要求する場合等には、黒色層５２の代わりに、他の色彩の印刷層を設けてもよいし、さらに、図形、模様等を表現するために多色印刷された印刷層を設けてもよい。
【００２０】
［製造方法］
印刷体１は、紫外線硬化型のインクを、インクジェットプリンタを用いて、以下の工程に従って印刷することにより、製造することができる。以下、紫外線硬化型のインクが紫外線照射されて硬化する現象を、「ＵＶ硬化」ともいう。
（１）隠蔽層５０の白色層５１の形成工程
図２、図３に示すように、印刷基材５上のうち透光積層体１０を形成しない範囲に、白色（ホワイトＷ）のインクを吐出後、ＵＶ硬化させることにより、隠蔽層５０の白色層５１を形成する。
（２）隠蔽層５０の黒色層５２の形成工程、有色積層体３０の着色層３６の形成工程
インクジェットプリンタで一般的に使用される４色（Ｃ（シアン）、Ｍ（マゼンダ）、Ｙ（イエロー）、Ｋ（ブラック））の着色インクを吐出後、ＵＶ硬化させる。隠蔽層５０の黒色層５２を形成する範囲には、黒色（Ｋ）のインクを吐出し、また、着色層３６を形成する範囲には、４色の着色インク（Ｃ、Ｍ、Ｙ、Ｋ）のなかから着色層３６の色彩表現に必要なインクを吐出する。これにより、隠蔽層５０の黒色層５２、有色積層体３０の着色層３６を、同一の印刷工程で形成できる。
【００２１】
（３）透光段層２１，２２，２３，３１，３２，３３の形成工程
透光性を有する無色透明のインクを吐出後、ＵＶ硬化させることにより、透光層２１ａ，２２ａ，２３ａ，３１ａ，３２ａ，３３ａを積層することにより、透光段層２１，２２，２３，３１，３２，３３を形成する。この工程では、インクを、通常よりも厚盛するような印刷（いわゆる厚盛印刷）をする。
各透光層は、１層ずつ形成する。つまり、９層の透光層は、インクの吐出及びＵＶ硬化の工程を９回行うことにより形成される。各透光層は、インクを吐出後、上面が滑らかにレベリングされる前に、ＵＶ硬化される。これにより、透光層の上面は、マット状に形成される。
【００２２】
（４）被覆層２５，３５の形成工程
上記（３）で形成した透光段層２１，２２，２３及び透光段層３１，３２，３３上を覆うように、透光性を有する無色透明のインクを吐出後、ＵＶ硬化させることにより、被覆層２５，３５を形成する。この工程は、上記（３）と同様に、インクを厚盛する。
インクは、塗布表面がレベリングされた後に、ＵＶ硬化される。これにより、被覆層２５，３５の表面が平滑になり、また、透光段層２１，２２，２３の段のエッジ２１ｂ，２２ｂ，２３ｂ及び透光段層３１，３２，３３の段のエッジ３１ｂ，３２ｂ，３３ｂが緩やかになる。
以上により、印刷体１を製造することができる。
【００２３】
［作用、効果］
印刷体１は、上記構成、製造方法によって、以下の作用、効果を奏する。
なお、以下の作用、効果は、実際に、印刷体１を試作することによって確認した。印刷基材５は、銀光沢を有する「五條製紙株式会社製  ＳＰＥＣＩＡＬＩＴＩＥＳ  Ｎｏ．７６６」を用いた。
（観察態様）
看者は、印刷体１を以下のように観察することができる。
なお、図面には、積層体内の光の進路を、簡略して直線状に図示した。
（１）単体の無色積層体２０
（ａ）図２に示すように、無色積層体２０は、透明であるため、無色積層体２０に入射した光は、ホログラム層７で反射して、その後、無色積層体２０から観察光Ｌ２０となって出射する。
被覆層２５の表面は、平滑である。このため、透光層２１ａ，２２ａ，２３ａの上面がマット状であっても、被覆層２５の表面（つまり無色積層体２０の表面）における乱反射、乱屈折が低減される。これにより、無色積層体２０は、十分な透明度を有するため、観察光Ｌ２０は、濁りが低減する。
【００２４】
（ｂ）光は、無色積層体２０の段々状の形状によって、複雑に屈折及び反射する。また、光は、ホログラム層７によって回折する。このため、観察光Ｌ２０は、印刷基材５の金属光沢が、光輝いているように観察される。
以下の説明では、このように光輝くように観察される態様を、「キラキラ感」ともいう。
【００２５】
（ｃ）観察光Ｌ２０の輝度は、観察される角度がわずかに変化すると、段々状の形状及びホログラム層７の作用によって、極端に変化する。このため、キラキラ感が向上する。
（ｄ）各透光段層２１，２２，２３は、それぞれ３層の透光層が積層された構成であるので、単層構成に比べると各段の高さが高い。このため、各透光段層２１，２２，２３間において、観察光Ｌ２０の輝度の変化は、極端に大きくなる。これにより、キラキラ感を向上できる。
【００２６】
（ｅ）隠蔽層５０は、透光積層体１０の外形に連続して設けられている。インクジェットプリンタは、無色積層体２０及び隠蔽層５０を上面から観察した場合に、両者間の隙間、つまり継ぎ目を視認できない程度に、形成できる精度を有する。
このため、印刷体１を肉眼で観察した場合に、無色積層体２０及び隠蔽層５０の境界において、印刷基材５や継ぎ目が視認されたりすることがない。このように、印刷体１は、外観の品質が高い。
（ｆ）無色積層体２０の周囲には、暗い色彩の黒色の隠蔽層５０が配置されている。このため、無色積層体２０から観察される金属光沢が目立つことに加えて、キラキラ感が向上する。
（ｇ）透光積層体１０は、ホログラム層７によって、立体感を向上できる。この作用、効果は、実施形態の印刷体１と、単に金属光沢を有する印刷基材に印刷した比較例とを比較することにより、確認した。実施形態の透光積層体１０は、比較例の透光積層体よりも、明らかに立体的に観察でき、かつ、実際の高さ０．５ｍｍよりも高く観察できた。その理由は、ホログラム層７で反射する光が奥行感をもって観察できるからと考えられる。
【００２７】
（２）単体の有色積層体３０
図３に示すように、有色積層体３０の着色層３６は、透光性を有する。このため、有色積層体３０から出射する観察光Ｌ３０は、有色の金属光沢となって観察される。有色積層体３０の他の観察態様は、無色積層体２０の上記観察態様と同様である。
このように、印刷基材５の金属光沢は、有色積層体３０が設けられた部分では、着色された態様で観察できる。
【００２８】
（３）隠蔽層５０
隠蔽層５０が設置されている範囲では、白色層５１によって、印刷基材５が隠蔽される。このため、隠蔽層５０は、最上層の黒色層５２の黒色の色彩のみが観察される。
【００２９】
（４）透光積層体１０がドット状に並べられた態様
（ａ）図１（Ａ）に示すように、複数の透光積層体１０が並べられた状態では、これらのうち一部の輝度が、極端に高く観察され、つまり、キラキラ感が高く観察される。図１（Ａ）には、一部の透光積層体１０に、放射状の線を図示した。また、観察角度を少しずつ変えていくと、キラキラ感が高い透光積層体１０が、他の透光積層体１０へと順次変化する。
その理由は、透光積層体１０の下面には、ホログラム層７が配置されているからと考えられる。つまり、前述したように、ホログラム層７は、反射光の輝度が極端に変化したり、光を不規則に反射する等という性質を有する。この性質が、ホログラム層７上に透光積層体１０を積層した状態でも発揮しているからと考えられる。
（ｂ）複数の透光積層体１０の周囲には、黒色の隠蔽層５０が設けられている。このため、印刷体１は、複数のビーズを黒色の基材上に接着したアイロンビーズ、ビータッチ手芸のような質感で観察される。
【００３０】
（強度等）
（ａ）透光積層体１０は、十分な剥離強度を有し、透光積層体１０を剥離しようとすると、印刷基材５が破壊する程度であった。このため、印刷体１は、透光積層体１０の印刷基材５からの脱落を、抑制できる。
（ｂ）各透光層の上面は、マット状である。このため、透光層は、層間における印刷強度が強く、剥離しにくい。
（ｃ）透光積層体１０は、樹脂のような硬度を有する。このため、透光積層体１０は、ビーズのような手触りを有する。
【００３１】
以上説明したように、実施形態の印刷体１は、紫外線硬化型インクを印刷して形成したものであっても、アイロンビーズ、ビータッチ手芸のような質感を得ることができる。また、印刷体１は、輝度の変化が大きくつまり観察光の変化が富んでおり、さらに、キラキラ感があるので、視覚的な装飾効果を向上できる。
さらに、印刷体１は、インクジェットプリンタを用いて製造するので、複雑な手作業や複雑な構造のロボット等を用いることなく容易に製造でき、かつ、低コストである。
【００３２】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３３】
（変形形態）
（１）実施形態において、有色積層体の着色層は、透光性を有する例を示したが、これに限定されない。
着色層は、透光性を有さず、印刷基材の金属光沢を視認できないように、隠蔽する形態でもよい。この形態では、隠蔽層の印刷工程と同時に、着色層の下側に、白色層を印刷してもよい。この形態では、有色積層体の設置範囲の観察光は、印刷基材の金属光沢を有さず、完全に着色された態様で観察することができる。
【００３４】
（２）実施形態において、印刷される部材（印刷基材）は、ホログラム層が形成された紙材である例を示したが、これに限定されない。印刷される部材は、インクで印刷可能なものであればよい。
印刷される部材は、例えば、電子機器のケース等の表面であってもよい。この形態では、ケース表面に、金属光沢等を有する加工をした後に、実施形態と同様な工程で、紫外線硬化型のインクを印刷すればよい。この場合において、金属光沢等を有する加工もインクジェットプリンタによる印刷で行えば、工程が簡単である。
【００３５】
（３）実施形態において、印刷基材は、金属光沢を有する例を示したが、これに限定されない。
印刷基材は、光沢を有さない形態であってもよい。この形態でも、印刷基材上に透光積層体を設けることにより、印刷体は、アイロンビーズ等のような質感を得ることができる。
また、印刷基材の色彩が光沢を有さない黒色等の場合には、隠蔽層を設けなくてもよい。この形態では、印刷基材上に有色積層体を設けることにより、有色のビーズ等を設けたような質感を得ることができる。
【００３６】
（４）実施形態において、透光積層体の外形は、多角形である例を示したが、これに限定されない。透光積層体の外形は、円形、星形であったり、曲線を備えていてもよい。
【符号の説明】
【００３７】
１  印刷体
５  印刷基材
６  紙材
７  ホログラム層
１０  透光積層体
２０  無色積層体
２１，２２，２３，３１，３２，３３  透光段層
２１ａ，２２ａ，２３ａ，３１ａ，３２ａ，３３ａ  透光層
２１ｂ，２２ｂ，２３ｂ，３１ｂ，３２ｂ，３３ｂ  エッジ
２５，３５  被覆層
３０  有色積層体
３６  着色層
５０  隠蔽層
５１  白色層
５２  黒色層
【図１】
2016107470.tif 000003
【図２】
2016107470.tif 000004
【図３】
2016107470.tif 000005